(57)【要約】      （修正有）【課題】より確実に水の浸入を防止することのできる建具を提供する。【解決手段】開口枠１０に対して開閉可能に配設したドア２０を備え、ドア２０の下框２３にはタイト材３０を保持したアタッチメント４０が装着された建具であって、アタッチメント４０には排水孔が設けられている。障子は、開口枠１０に対して閉じた場合に第１の空間と第２の空間とを仕切るものであり、タイト材３０は、第１の空間側に位置する縁部及び第２の空間側に位置する縁部に設けられ、それぞれが開口枠の下枠１０に当接するものであり、下枠２３には、第１の空間側のタイト材３０と第２の空間側のタイト材３０とによって囲まれる部分に開口する受入口と、第２の空間に開口する外部排出口とを有した枠排水路６６が設けられている。【選択図】図２
2019116779.tif 000002
【特許請求の範囲】
【請求項１】
開口枠に対して開閉可能に配設した障子を備え、前記障子の下框にはタイト材を保持したアタッチメントが装着された建具であって、
前記アタッチメントには排水孔が設けられていることを特徴とする建具。
【請求項２】
前記障子は、前記開口枠に対して閉じた場合に第１の空間と第２の空間とを仕切るものであり、
前記タイト材は、前記第１の空間側に位置する縁部及び前記第２の空間側に位置する縁部に設けられ、それぞれが前記開口枠の下枠に当接するものであり、
前記下枠には、前記第１の空間側のタイト材と前記第２の空間側のタイト材とによって囲まれる部分に開口する受入口と、前記第２の空間に開口する外部排出口とを有した枠排水路が設けられていることを特徴とする請求項１に記載の建具。
【請求項３】
前記アタッチメントは、少なくとも前記下框との間において前記第１の空間側に位置する部分に開放室を確保して設けられ、かつ前記第１の空間側に位置する縁部に上方に向けて突出した防水ヒレ部を有していることを特徴とする請求項１に記載の建具。
【請求項４】
前記アタッチメントは中央部分に突出部を有し、前記突出部を介して前記下框の下面に取り付けられており、前記下框との間には前記突出部の両側にそれぞれ開放室が構成されていることを特徴とする請求項３に記載の建具。
【請求項５】
前記下框には、前記アタッチメントの上方に位置する部位に框排水孔が設けられ、
前記下框の上部には、面材が配置される面材収容溝が設けられ、前記面材収容溝の底部には、前記下框の框排水孔に連通した溝排水孔が設けられていることを特徴とする請求項１に記載の建具。
【請求項６】
前記アタッチメントの排水孔を設けた位置と前記下框の框排水孔を設けた位置とが前記下框の長手方向において互いに重なる部分を有していることを特徴とする請求項５に記載の建具。
【発明の詳細な説明】
【技術分野】
【０００１】
本発明は、建具に関するものである。
【背景技術】
【０００２】
室外と室内との間を仕切る建具や浴室と脱衣室との間を仕切る建具には、室外（浴室）の水が室内（脱衣室）に浸入することがないように種々の防水対策が施されている。例えば、浴室側に開くドアを備えた建具には、タイト材を保持したアタッチメントを下框の下面に取り付けるようにしたものがある。この建具によれば、開口枠に対してドアを閉じた場合にアタッチメントのタイト材が下枠に当接するため、浴室の水がドアに掛かったとしても、下框と下枠との隙間から脱衣室側に水が浸入する事態を防止することが可能となる（例えば、特許文献１参照）。
【先行技術文献】
【特許文献】
【０００３】
【特許文献１】特許第３２４２５８３号公報
【発明の概要】
【発明が解決しようとする課題】
【０００４】
しかしながら、上記のように下框にアタッチメントを取り付けた場合には、毛管現象によって下框とアタッチメントとの隙間に水が吸い上げられ、量的には少ないものの、やがて脱衣室側に滲み出るおそれがある。
【０００５】
本発明は、上記実情に鑑みて、より確実に水の浸入を防止することのできる建具を提供することを目的とする。
【課題を解決するための手段】
【０００６】
上記目的を達成するため、本発明に係る建具は、開口枠に対して開閉可能に配設した障子を備え、前記障子の下框にはタイト材を保持したアタッチメントが装着された建具であって、前記アタッチメントには排水孔が設けられていることを特徴とする。
【０００７】
この発明によれば、下框とアタッチメントとの隙間に水が吸い上げられたとしてもアタッチメントに設けた排水孔を通じて排水されるため、水が浸入する事態を確実に防止することが可能となる。
【０００８】
また本発明は、上述した建具において、前記障子は、前記開口枠に対して閉じた場合に第１の空間と第２の空間とを仕切るものであり、前記タイト材は、前記第１の空間側に位置する縁部及び前記第２の空間側に位置する縁部に設けられ、それぞれが前記開口枠の下枠に当接するものであり、前記下枠には、前記第１の空間側のタイト材と前記第２の空間側のタイト材とによって囲まれる部分に開口する受入口と、前記第２の空間に開口する外部排出口とを有した枠排水路が設けられていることを特徴とする。
【０００９】
この発明によれば、下枠に設けた枠排水路を通じて下框とアタッチメントとの間の隙間が第２の空間に連通されるため、第２の空間との圧力差に起因して水が浸入する事態を招来するおそれがなくなる。
【００１０】
また本発明は、上述した建具において、前記アタッチメントは、少なくとも前記下框との間において前記第１の空間側に位置する部分に開放室を確保して設けられ、かつ前記第１の空間側に位置する縁部に上方に向けて突出した防水ヒレ部を有していることを特徴とする。
【００１１】
この発明によれば、下框とアタッチメントとの間に作用する毛管現象が互いの間に確保した開放室によって途切れるため、吸い上げられた水が開放室に貯留されることになる。しかも、開放室の水は、防水ヒレ部によって第１の空間側に至るおそれがないため、水が浸入する事態をより確実に防止することができる。
【００１２】
また本発明は、上述した建具において、前記アタッチメントは中央部分に突出部を有し、前記突出部を介して前記下框の下面に取り付けられており、前記下框との間には前記突出部の両側にそれぞれ開放室が構成されていることを特徴とする。
【００１３】
この発明によれば、下框とアタッチメントとの間に作用する毛管現象が互いの間に確保した２つの開放室によって途切れるため、水が浸入する事態をより確実に防止することができる。
【００１４】
また本発明は、上述した建具において、前記下框には、前記アタッチメントの上方に位置する部位に框排水孔が設けられ、前記下框の上部には、面材が配置される面材収容溝が設けられ、前記面材収容溝の底部には、前記下框の框排水孔に連通した溝排水孔が設けられていることを特徴とする。
【００１５】
この発明によれば、面材と下框との隙間に水が浸入したとしても、溝排水孔を通じて面材収容溝から排水された後、框排水孔及び排水孔を通じて排水されるため、水が浸入する事態をより確実に防止することが可能となる。
【００１６】
また本発明は、上述した建具において、前記アタッチメントの排水孔を設けた位置と前記下框の框排水孔を設けた位置とが前記下框の長手方向において互いに重なる部分を有していることを特徴とする。
【００１７】
この発明によれば、下框の框排水孔から排出された水をアタッチメントに滞留させることなく排水孔から外部に排出することができ、水の浸入をより確実に防止することが可能となる。
【発明の効果】
【００１８】
本発明によれば、下框とアタッチメントとの隙間に水が吸い上げられたとしてもアタッチメントに設けた排水孔を通じて排水されるため、水が浸入する事態を確実に防止することが可能となる。
【図面の簡単な説明】
【００１９】
【図１】本発明の実施の形態である建具を室内（第１の空間）側から見た正面図である。
【図２】図１に示した建具の縦断面図である。
【図３】図１に示した建具の横断面図である。
【図４】図１に示した建具において開口枠及び障子の隅部を室外（第２の空間）側の上方から見た要部拡大斜視図である。
【図５】図１に示した建具において開口枠及び障子の隅部を室内（第１の空間）側の上方から見た要部拡大斜視図である。
【図６】図１に示した建具の下框及び下枠部分を示す要部縦断面図である。
【図７】図１に示した建具の障子に適用される下框及びアタッチメントの分解斜視図である。
【図８】図１に示した建具の障子に適用される下框及びアタッチメントの分解縦断面図である。
【図９】図１に示した建具の障子に適用されるアタッチメントの要部平面図である。
【発明を実施するための形態】
【００２０】
以下、添付図面を参照しながら本発明に係る建具の好適な実施の形態について詳細に説明する。
図１〜図５は、本発明の実施の形態である建具を示したものである。ここで例示する建具は、開口枠１０と、開口枠１０に対して開閉可能に配設されたドア（障子）２０とを備え、開口枠１０に対してドア２０を閉じることにより室外（第２の空間）と室内（第１の空間）との間を仕切るものである。開口枠１０は、上枠１１、下枠１２及び左右の縦枠１３を四周枠組みすることによって構成したもので、建物の壁に設けた開口（図示せず）の周囲に沿って取り付けてある。ドア２０は、矩形状を成すガラス板２１の四周に上框２２、下框２３及び左右の縦框２４を装着することによって構成したものである。このドア２０は、室外側から見た場合に右側に位置する縦框２４と縦枠１３との間にヒンジ１が設けてあり、ヒンジ１を中心として室外側に押し開くことが可能である。図２及び図３からも明らかなように、ドア２０は、見込み方向に沿った寸法が開口枠１０に対してほぼ１／２となるように構成してあり、閉じた場合に開口枠１０の室外側に位置する領域に片寄って配置されることになる。
【００２１】
ここで、見込み方向とは、図中の矢印Ａで示すように、建具の奥行きに沿った方向である。見込み方向に沿った面については、見込み面と称する場合がある。また、本実施の形態では、見付け方向という用語も用いる。見付け方向は、上枠１１及び下枠１２あるいは上框２２や下框２３等のように水平方向に沿って延在するものの場合、見込み方向に直交した上下に沿う方向である。縦枠１３や縦框２４等のように上下方向に沿って延在するものの場合には、見込み方向に直交した水平に沿う方向を見付け方向という。見付け方向に沿った面については、見付け面と称する場合がある。
【００２２】
図２に示すように、本実施の形態で例示する建具は、特にバリアフリーを考慮したもので、開口枠１０の下枠１２が凹凸の少ないほぼ平坦な上面を有するように構成してある。一方、この建具に適用するドア２０は、バリアフリー以外の一般的な建具にも共用できるように構成したもので、下框２３にタイト材が設けられていない。すなわち、一般的な建具では、下枠１２の上面から突出する戸当たり部にタイト材が設けられていることが多いため、ドア２０の下框２３にタイト材が設けられていない。これに対してバリアフリーの建具においては、上述したように下枠１２の上面をほぼ平坦に構成する必要があるため、下枠１２の上面に戸当たり部やタイト材を設けることが難しい。そこで、本実施の形態の建具では、タイト材３０を保持したアタッチメント４０をドア２０の下框２３に装着することによって下框２３と下枠１２との間の水密を図るようにしている。
【００２３】
以下、アタッチメント４０を含む下框２３の構成及び下枠１２の構成について詳述し、併せて本願発明の特徴部分について説明する。なお、各構成要素の説明においては便宜上、建物（図示せず）に取り付けた状態の姿勢でそれぞれの形状を特定することとする。
【００２４】
ドア２０の下框２３は、アルミニウム合金等の金属や樹脂によって成形された押し出し形材であり、長手に沿った全長がほぼ一様の断面を有するように構成してある。本実施の形態では、図６〜図８に示すように、角筒状を成す框基部５１の下部に一対の下方ヒレ部５２を有した下框２３を適用している。下方ヒレ部５２は、框基部５１の下面において室外側に位置する縁部及び室内側に位置する縁部からそれぞれ鉛直下方に沿って延在した薄板部分である。
【００２５】
また、框基部５１の上部には、面材支持ヒレ部５３及び押縁係合部５４が設けてある。面材支持ヒレ部５３は、框基部５１の上面において室外側に位置する縁部から鉛直上方に向けて延在した薄板状部分である。押縁係合部５４は、図２に示すように、框基部５１の上面において室内側に位置する部分に押縁２５を着脱可能に装着するためのものである。押縁係合部５４に装着された押縁２５は、面材支持ヒレ部５３との間に面材収容溝５５を構成するものである。面材収容溝５５は、ガラス板２１の下縁部を収容するためのもので、ガラス板２１の板厚よりも大きな寸法を有するように構成してある。
【００２６】
図６〜図８に示すように、下框２３の框基部５１には、溝排水孔５６、押縁排水孔５７及び框排水孔５８が設けてある。溝排水孔５６は、框基部５１の上壁５１ａにおいて面材収容溝５５となる部分に設けた貫通孔である。押縁排水孔５７は、框基部５１の上壁５１ａにおいて押縁係合部５４の間に設けた貫通孔である。図には明示していないが、溝排水孔５６及び押縁排水孔５７は、下框２３の長手に沿って複数個ずつ形成してある。框排水孔５８は、框基部５１の下壁５１ｂに設けた貫通孔である。本実施の形態では、図９中の２点鎖線で示すように、室外側に位置する部位及び室内側に位置する部位にそれぞれ下框２３の長手に沿った長孔状の框排水孔５８が複数個ずつ形成してある。
【００２７】
アタッチメント４０は、下框２３と同様、アルミニウム合金等の金属や樹脂によって成形した押し出し形材であり、長手に沿った全長がほぼ一様の断面を有するように構成してある。図６〜図９に示すように、本実施の形態では、上壁部４１、一対の側壁部４２、一対の底壁部４３を有したアタッチメント４０を適用している。上壁部４１は、下框２３に設けた框排水孔５８の相互間に配置することのできる幅を有した平板状部分である。一対の側壁部４２は、上壁部４１の両側縁部からそれぞれ鉛直下方に向けて延在した平板状部分であり、下框２３の下方ヒレ部５２とほぼ同じ寸法を有するように構成してある。一対の底壁部４３は、一対の側壁部４２の下縁から互いに離隔する方向に向けてほぼ水平に延在した平板状部分である。室外側の底壁部４３は、上壁部４１を框排水孔５８の相互間に配置した場合に下方ヒレ部５２からわずかに突出する寸法に構成してある。室内側の底壁部４３は、上壁部４１を框排水孔５８の相互間に配置した場合にその延在端面が下方ヒレ部５２の外表面とほぼ一致する寸法に構成してある。
【００２８】
アタッチメント４０の底壁部４３には、それぞれの上面に防水ヒレ部４４，４５が設けてあり、それぞれの下面にタイト材保持部４６が設けてある。防水ヒレ部４４，４５は、底壁部４３の上面から鉛直上方に向けて延在した平板状部分であり、上壁部４１を框排水孔５８の相互間に配置した場合にそれぞれの外表面が下方ヒレ部５２の内表面に当接することができるように構成してある。図からも明らかなように、室内側に設けた防水ヒレ部４５は、室外側に設けた防水ヒレ部４４よりも大きな高さを有している。タイト材保持部４６は、下方に開口した溝状部分であり、個々の内部においてアタッチメント４０の全長にわたる部位にそれぞれ一連のタイト材３０を保持している。タイト材３０は、基部を介してタイト材保持部４６に保持されたもので、個々の先端部が互いにほぼ平行となる状態で下方に向けて延在している。
【００２９】
図９に示すように、このアタッチメント４０には、複数の排水孔４７が設けてある。排水孔４７は、押し出し成形されたアタッチメント４０から上壁部４１及び一対の側壁部４２を切除することによって構成したもので、下框２３に設けた個々の框排水孔５８に対応して設けてある。より具体的には、下框２３の長手方向において框排水孔５８を設けた位置に合致するようにアタッチメント４０の排水孔４７が設けてある。
【００３０】
上記の構成を有するアタッチメント４０は、上壁部４１及び一対の側壁部４２からなる直方体状部分が２つの底壁部４３の相互間から上方に突出した形態となっている。このため、防水ヒレ部４４，４５をそれぞれ下方ヒレ部５２に当接させた状態で、上壁部４１を介して取付ネジＳを框基部５１の下壁５１ｂに螺合すれば、下框２３に取り付けることが可能である。
【００３１】
この状態においては、下框２３の下部において室外側に位置する縁部及び室内側に位置する縁部からそれぞれタイト材３０が下方に延在するように配置されることになる。また、下框２３とアタッチメント４０との間には、２つの開放室４８が確保されることになる。すなわち、下框２３とアタッチメント４０とは、室外側及び室内側においてそれぞれ下方ヒレ部５２と防水ヒレ部４４，４５とが接触し、かつ中央部分において框基部５１の下壁５１ｂと上壁部４１とが接触した状態にある。一方、防水ヒレ部４４，４５と側壁部４２との間においては、下框２３とアタッチメント４０とが互いに離隔し、框基部５１の下壁５１ｂ、下方ヒレ部５２、アタッチメント４０の底壁部４３及び側壁部４２によってそれぞれ下框２３の長手に沿って延在する開放室４８が確保されている。それぞれの開放室４８は、框排水孔５８を介して框基部５１の内部に連通し、かつ排水孔４７を介して外部に連通している。
【００３２】
開口枠１０の下枠１２は、アルミニウム合金等の金属や樹脂によって成形した押し出し形材であり、長手に沿った全長がほぼ一様の断面を有するように構成してある。本実施の形態では、図６に示すように、見込み壁部６１、内方側壁部６２、傾斜底壁部６３及び外方側壁部６４を有した下枠１２を適用している。
【００３３】
見込み壁部６１は、見込み方向に沿って延在した部分である。見込み壁部６１の室外側に位置する縁部６１ａは、室外に向けて漸次上方となるように傾斜した後、ほぼ水平となるように延在し、さらに鉛直下方に向けて屈曲している。見込み壁部６１の室内側に位置する縁部６１ａには、鉛直下方に向けて見付け壁部６５が延在している。内方側壁部６２は、見込み壁部６１の室外側に位置する縁部６１ａの下面から下方に向けて延在した部分である。傾斜底壁部６３は、内方側壁部６２の下縁から室外に向けて漸次下方となるように傾斜した部分である。傾斜底壁部６３の延在縁部は、鉛直下方に向けて屈曲した後、室内側に向けて屈曲し、さらに鉛直下方に向けて屈曲している。外方側壁部６４は、内方側壁部６２及び傾斜底壁部６３との間に枠排水路６６を構成するものである。本実施の形態では、傾斜底壁部６３のほぼ中間となる部位から上方に向けて延在した後、室外に向けて漸次上方となるように傾斜し、さらに鉛直上方に向けて延在するように外方側壁部６４が設けてある。
【００３４】
外方側壁部６４において傾斜底壁部６３から上方に向けて延在する部分には、複数箇所に外部排出口６７が設けてある。外部排出口６７は、枠排水路６６の下端部を室外に連通させるものである。外方側壁部６４の延在縁部６４ａは、室内側に向けて漸次上方となるように屈曲した後、ほぼ水平となるように屈曲している。外方側壁部６４の延在縁部６４ａにおいて室内側に向けて屈曲した部分は、見込み壁部６１の室外側に位置する縁部６１ａよりもわずかに低くなるように設定してある。図２から明らかなように、見込み壁部６１の室外側に位置する縁部６１ａと、外方側壁部６４の室内側に位置する縁部６４ａとの間の相互間隔は、アタッチメント４０に保持させたタイト材３０の先端部相互間隔よりも小さく設定してある。開口枠１０に対してドア２０を閉じた場合には、アタッチメント４０に保持させた一方のタイト材３０の先端部が、見込み壁部６１の室外側に位置する縁部６１ａの見付け面に当接し、かつ他方のタイト材３０の先端部が、外方側壁部６４の室内側に位置する縁部６４ａの上面に当接することになる。
【００３５】
図６に示すように、下枠１２において見込み壁部６１の室外側に位置する縁部６１ａと外方側壁部６４の室内側に位置する縁部６４ａとの間には、カバー部材７０が配設してある。カバー部材７０は、アルミニウム合金等の金属や樹脂によって成形した押し出し形材であり、長手に沿った全長がほぼ一様の断面を有するように構成してある。本実施の形態では、見込み壁部６１の室外側に位置する縁部６１ａと外方側壁部６４の室内側に位置する縁部６４ａとの間の隙間よりも小さい幅のカバー基部７１を有したカバー部材７０を適用している。カバー基部７１は、中央部分から室内側及び室外側に向けてそれぞれ漸次下方となるように傾斜したものである。カバー基部７１の両側縁部には、それぞれの下面に取付用ヒレ部７２が設けられている。このカバー部材７０は、複数の取付ブラケット７３により、取付用ヒレ部７２を介して見込み壁部６１の室外側に位置する縁部６１ａと外方側壁部６４の室内側に位置する縁部６４ａとの間に取り付けてある。カバー部材７０の上面は、外方側壁部６４の室内側に位置する縁部６４ａの上面とほぼ同じ高さとなるように設定してある。カバー基部７１の両側縁部と、見込み壁部６１の室外側に位置する縁部６１ａ及び外方側壁部６４の室内側に位置する縁部６４ａとの間には、互いにほぼ等しい寸法の受入口６６ａが確保してある。
【００３６】
上記のように構成した建具では、開口枠１０に対してドア２０を閉じた場合、上述したように、アタッチメント４０に保持させたタイト材３０の先端部が見込み壁部６１の室外側に位置する縁部６１ａの見付け面及び外方側壁部６４の室内側に位置する縁部６４ａの上面に当接することになる。従って、室外側から雨水等の水がドア２０の下框２３と下枠１２との隙間を通じて室内側に浸入する事態を招来するおそれがない。
【００３７】
ここで、下框２３に設けた下方ヒレ部５２の端面とアタッチメント４０の底壁部４３との間に水が掛かった場合には、互いに接触した下方ヒレ部５２と防水ヒレ部４４との間の毛管現象によって室内側に水が吸い上げられることになる。しかしながら、この建具によれば、下框２３とアタッチメント４０の間に開放室４８が確保してあるため、この開放室４８において毛管現象が途切れることになり、吸い上げられた水が開放室４８を超えて室内側に移動することがない。しかも、アタッチメント４０には、開放室４８に連通するように排水孔４７が設けてある。従って、開放室４８に貯留した水は、排水孔４７を介してアタッチメント４０の外部に排出されることになり、室内側に浸入するおそれがない。さらに、排水孔４７を介してアタッチメント４０の外部に排出された水は、枠排水路６６の受入口６６ａを介して下枠１２の内部を通過し、外部排出口６７を介して室外に排出されるため、室内側に浸入するおそれはない。
【００３８】
さらに、この建具では、開口枠１０に対してドア２０を閉じた場合、下框２３とアタッチメント４０との間に確保した開放室４８が、排水孔４７及び枠排水路６６を通じて外部に連通した状態となる。従って、室外の風雨が強い状況下にあっても、常に下框２３とアタッチメント４０との間の開放室４８が室外と同じ圧力となるため、圧力差に起因して開放室４８の内部に雨水等の水が浸入する事態を招来するおそれがない。
【００３９】
また、この建具では、下框２３の面材支持ヒレ部５３とガラス板２１との隙間や押縁２５と下框２３との隙間に水が浸入した場合、浸入した水が溝排水孔５６や押縁排水孔５７を通じて框基部５１の内部に導入され、その後、框排水孔５８を通じてアタッチメント４０の底壁部４３に滴下することになる。従って、下框２３の面材支持ヒレ部５３とガラス板２１との隙間や押縁２５と下框２３との隙間に浸入した水は、下方ヒレ部５２と防水ヒレ部４４との間の毛管現象によって吸い上げられた水と同様、排水孔４７を通じて外部に排出され、室内側に浸入するおそれがない。しかも、この建具においては、排水孔４７に対応して框排水孔５８を設けるようにしているため、框基部５１から滴下した水がアタッチメント４０の底壁部４３に滞留することはほとんど無く、直ちに排水孔４７から外部に排出されることになる。仮に、框基部５１から滴下した水がアタッチメント４０の底壁部４３に滞留したとしても、室外側においては底壁部４３から大きく突出するように防水ヒレ部４５が設けてある。このため、底壁部４３に貯留した水が室内側の防水ヒレ部４５と下方ヒレ部５２との間に至るおそれはなく、毛管現象によって室内側に滲み出る事態を招来することもない。
【００４０】
なお、上述した実施の形態では、室外と室内との間を仕切る建具を例示しているが、本発明はこれに限定されず、例えば浴室と脱衣室との間を仕切る浴室用の建具にも適用することが可能である。また、障子は必ずしもドア２０である必要はない。さらに、開口枠１０に対して障子が室外（第２の空間）側に開くものを例示しているが、障子が開口枠１０に対して開閉可能であれば本発明は必ずしもこれに限定されない。
【００４１】
また、上述した実施の形態では、下框２３とアタッチメント４０との間に２つの開放室４８を設けるようにしているため、室内（第１の空間）側への水の浸入をより確実に防止することができるが、開放室４８は少なくとも室内（第１の空間）側に位置する部分に唯一設ければ十分である。なお、下枠１２に設けた枠排水路６６を通じて開放室４８を室外（第２の空間）に連通させるようにしているため、上述したように室外との圧力差に起因した水の浸入を招来するおそれがないが、本発明は必ずしもこれに限定されない。
【００４２】
さらに、上述した実施の形態では、下框２３の長手方向において框排水孔５８を設けた位置に合致するようにアタッチメント４０の排水孔４７を設けるようにしているため、上述したように、框排水孔５８から排出された水を、アタッチメント４０の底壁部４３にほとんど滞留させることなく外部に排出することが可能である。しかしながら、アタッチメント４０の排水孔４７は、下框２３の長手方向において必ずしも框排水孔５８に合致している必要はなく、例えば少なくとも一部が重なるように設ければ良い。なお、排水孔４７として上壁部４１及び側壁部４２を切除することによって構成したものを例示しているが、本発明はこれに限定されず、例えば底壁部４３に貫通するように排水孔を設けるようにしてももちろん良い。
【符号の説明】
【００４３】
１０  開口枠、１２  下枠、２０  ドア、２３  下框、３０  タイト材、４０  アタッチメント、４４，４５  防水ヒレ部、４７  排水孔、４８  開放室、５５  面材収容溝、５６  溝排水孔、５８  框排水孔、６６  枠排水路、６６ａ  受入口、６７  外部排出口
【図１】
2019116779.tif 000003
【図２】
2019116779.tif 000004
【図３】
2019116779.tif 000005
【図４】
2019116779.tif 000006
【図５】
2019116779.tif 000007
【図６】
2019116779.tif 000008
【図７】
2019116779.tif 000009
【図８】
2019116779.tif 000010
【図９】
2019116779.tif 000011